(57)【要約】【課題】  内部で作業者が作業するために足場を設置する必要のある垂直に配置された水冷式ダクトにおいて、足場を必要に応じて容易かつ安全に設置できる機構を設ける。【解決手段】  垂直に設置された水冷ダクト１の内部で使用する脱着可能な足場機構において、足場となる棒状体８を水平に水冷ダクト１の外筒２から内筒３へ挿通し、さらに内筒３から外筒２へ挿通するための貫通孔６を有する支持筒７を水冷ダクト１の外筒２および内筒３に設けて、これらの支持筒７を１対とし、同じ高さとなる他の水平位置に、上述の支持筒７と同様にもう１対の支持筒７を設置し、それぞれの対となる支持筒７のスパンより長い棒状体８を水冷ダクト１の外部より挿入し、支持筒７よりはみ出した棒状体８の端部を水冷ダクト１の外部から固定した垂直式の水冷ダクト１の内部の作業用の足場設置機構。【選択図】        図２
2010126979.tif 000002
【特許請求の範囲】
【請求項１】
垂直に設置された水冷ダクトの内部で使用する着脱可能な足場機構において、足場となる棒状体を水平に水冷ダクトの内筒へ挿通し、さらに内筒から外筒へ挿通するための指示部を有する貫通孔をそれぞれ水冷ダクトの外筒および内筒に設け、これら貫通孔の外筒の外部に突出する一対の支持筒を設け、該貫通孔と同じ高さとなる位置に同様に他の貫通孔を設けて該他の貫通孔の外部に突出するもう一対の支持筒を設置し、それぞれの対となる一対の支持筒にこれらの一対の支持筒のスパンより長い棒状体を水冷ダクトの外筒の外部から一対の支持筒および貫通孔に挿入貫通し、支持筒より外部にはみ出した棒状体を外部から固定したことを特徴とする垂直式の水冷ダクト内部の作業用の足場設置機構。
【発明の詳細な説明】
【技術分野】
【０００１】
本発明は、内部で作業者が作業する作業用ステージの足場を設置する必要のある垂直に配置された水冷ダクトにおいて、足場を設置するための水冷ダクトの内部の作業用の足場設置機構に関する。
【背景技術】
【０００２】
電気炉や取鍋炉などから排出される高温気体を排気するために用いられる垂直式の水冷ダクト１は、水冷ダクト１の外筒２と内筒３の間に水路４を設けて水冷ダクト１を冷却水により冷却を行っている。水冷ダクト１の内筒２の内側は、高温気体が流れるために、内筒３が損傷し、水冷ダクト１の内部の水路４から水漏れを起こすことがある。ところで垂直に配置された水冷ダクト１では、足場板９からなる足場を設置しなければ、生じた水漏れの修理作業や水路４の点検作業が出来ない箇所が存在する。
【０００３】
従来、水冷ダクト１の内部で行う足場設置作業においては、水冷ダクト１の内部の下端で水平な安定した箇所より、パイプ足場を組上げて行き、作業用ステージとして足場板９を設置する。あるいは水冷ダクト１の中段に設けられた作業員が出入する点検口より、水冷ダクト１の内部に向かって伸びる張出し足場を設置し、水冷ダクト１の内部の張出し足場の上にパイプ足場を組上げて行き、足場板９を設置する方法があった。
【０００４】
この足場を組上げる方法では、足場の設置および撤去作業の作業量が非常に大きくなり、さらに狭暗所での作業が多いために、転落事故などリスクが増大し、コストの問題も発生する。
【０００５】
別の方法として、水冷ダクト１の内筒３にアングル材などを常設足場として溶接固定して設置し、修理作業や点検作業時に、常設足場の上に足場板９を設置する方法を採っていた。
【０００６】
このダクト内部に常設足場の溶接固定による方法は、足場設置の作業量は減少するが、水冷ダクト１を長期にわたり使用している間に、ダクト内を流れる高温の気体や、腐食成分を含む気体によって、常設足場の変形や、溶接部分の腐食が起こる問題がある。この変形や腐食により、常設足場の強度は著しく低下しており、この常設足場を継続して使用することは、作業者の転落事故や、足場材自体の落下事故が発生する懼れがある。しかし、水冷ダクト１の外筒２の外部での常設足場の設置は高温および腐食の問題は生じない。
【０００７】
その他に、水冷ダクト１の内部に脱着式の足場を設置するための機構が記載されている（例えば、特許文献１参照。）。これは、水冷ダクト１の内径よりも短寸の棒状体８を水冷ダクト１の側壁に配置された係止体あるいは貫通孔６に挿入して、足場を形成するものである。
【０００８】
しかし、上記の特許文献１に記載された方法では、棒状体８が水冷ダクト１の内径よりも短寸であるために、ダクト内部より行う棒状体８の配置作業や棒状体８の支持作業もしくは棒状体８の固定作業が必要となるが、棒状体８が不安定な状態のもとで、作業者の身体をこの棒状体８に預けて行う作業となるため、極めて危険な作業であった。
【０００９】
【特許文献１】特開２００１−１４０５７０号公報
【発明の開示】
【発明が解決しようとする課題】
【００１０】
そこで、本発明が解決しようとする課題は、水冷ダクトの内部に作業用足場の設置作業を安全かつ簡便に実施でき、さらに得られた足場がより安全なものとなっている構造を提供することである。
【課題を解決するための手段】
【００１１】
上記の課題を解決するための本発明の手段は、水冷ダクト１の内部で使用する脱着可能な足場板９を水冷ダクト１の外部より固定することができる機構を水冷ダクト１に備えさせることである。
【００１２】
上記の目的のために、棒状体８を水冷ダクト１の一側の外筒２から内筒３へ水平に挿通し、さらにこの棒状体８の先端を水冷ダクト１の他の一側の内筒３から外筒２へ挿通し得るように、水冷ダクト１の内部を貫通する貫通孔６を設ける。このとき冷却水の漏洩防止と棒状体８を挿通支持する支持筒７を内筒３から外筒２の外側にまで延在するように設ける。すなわち水冷ダクト１の内部を貫通する貫通孔６の両端の内筒３から外筒２の外側にまで延在している１対の支持筒７とする。
【００１３】
上記の一対の支持筒７の高さ位置と同じ高さとなる位置に、もう１対の支持筒７を設け、それぞれの対となる支持筒７のスパンより長い棒状体８を水冷ダクト１の外部より挿入し、支持筒７より外部にはみ出した棒状体６を水冷ダクト１の外部から固定する。２本の棒状体６、６を固定することにより、水冷ダクト１の内部で、棒状体６の上に足場板９を安定させて設置できる。
【発明の効果】
【００１４】
本発明に係る水冷ダクトの内部の作業用の足場設置機構は、従来のパイプ足場の組上げに比べて大幅に設置のための作業量を減少させることができる。
【００１５】
さらに水冷ダクトの内部の足場上に載って行う作業が無い時は、足場を形成する棒状体の取外しができ、水冷ダクト内を通るガスによる足場自体の腐食や変形から守ることができる。また支持筒も外筒に取り付けられているので、腐食による支持筒の落下も防護されている。
【００１６】
さらに足場板を設置するための棒状体を水冷ダクトの外部から固定できるので、水冷ダクトの内部における足場板の設置作業や内壁の修理や点検の作業時には、棒状体が十分な強度を持った足場として安全に使用できるなど、本願の手段は優れた効果を奏する。
【発明を実施するための最良の形態】
【００１７】
本発明を実施するための最良の形態について、図面を参照して説明する。図１は本発明の水冷ダクト１の縦断面図である。この水冷ダクト１はそれぞれ円筒状の外筒２と内筒３からなり、外筒２と内筒３の間には水冷ダクト１を冷却するための水冷用の水路４が螺旋状の管体から形成されており、例えば、水冷ダクト１の下部の側壁に有する水路入口１２から水路４に冷却水を流し、水冷ダクト１の上部の側壁に有する水路出口１３から放出して水冷ダクト１の内壁３を冷却して、水冷ダクト１を流れる高温から内壁３を保護している。
【００１８】
この水冷ダクト１は、図２の平面図に見られるように、内筒３の径の大きさが１８００ｍｍである。この水冷ダクト１では、外筒２および内筒３の径方向の中心線５を任意に設定し、さらに中心線５から両側にそれぞれ４５０ｍｍ離れた位置に中心線に平行な平行線ａおよび平行線ａ’を設定する。この設定した平行線ａおよび平行線ａ’上に位置する水冷ダクト１の内筒３および外筒２に、それぞれ２つずつ計４つの貫通孔６を設ける。これらの貫通孔６を内部に有し、かつ、内筒３および外筒２の間からの冷却水の漏洩防止および貫通孔６に挿通する棒状体８の支持を目的とした支持筒７を水冷ダクト１の壁部にそれぞれ１つずつ平行線ａおよび平行線ａ’の２方向に向けて取り付けている。これら同一平行線上にある２つの支持筒７を対とし、この対となる２つの支持筒７の端同士の間のスパンの２０００ｍｍより少しはみ出して長寸に形成された棒状体８を挿入し、支持筒７よりはみ出した棒状体８を水冷ダクト１の外部にてそれぞれ固定する。こうして固定された２本の棒状体８の上に足場板９を載置することで、安定した作業用ステージとする。
【００１９】
棒状体８の水冷ダクト１の外部からの固定方法は、例えば足場クランプを用いるが、支持筒７より径の大きな円板を支持筒７の外側に当てがって棒状体８の抜け止めとしてもよい。
【００２０】
さらに、水冷ダクト１の内部の上下方向に作業ステージを多段として必要とする場合には、上下方向の作業ステージの間隔を１２００ｍｍとなるようにして、それぞれの他段の位置に貫通孔６および支持筒７を設けるものとする。
【００２１】
貫通孔６へ支持筒７を取り付ける手段は溶接によるものとし、この場合、内筒３および外筒２からの冷却水の漏洩がないようにするために、図３に示すように、支持筒７と内筒３および外筒２の接触部の全周を溶接して溶接部１４とする。例えば、直径５０ｍｍの棒状体８を使用する場合、支持筒７は丸パイプからなるものとして、例えば、ＪＩＳ規格の１００Ａ  ＳＣＨ１６０の鋼管を使用するのが適している。
【００２２】
足場を設置しない時の水冷ダクト１からのエアリークを防止するために、同じく図３に示すように、水冷ダクト１の外側に突出する支持筒７の端部にフランジ１０を設け、足場を設置しない時は、さらにその外側に穴なしフランジ１１を施して支持筒７の孔を封止する。また、エアリーク防止に穴なしフランジ１１に代えて封止キャップを用いても良い。
【００２３】
この水冷ダクト１の内部の作業用の足場設置機構に使用する棒状体８の形状は、丸棒、角棒、丸パイプ、角パイプなどで良く、設置した足場、作業員、足場上の道工具の重量を支え得る強度を有していれば、その材質は問わない。
【００２４】
同じ高さに設置する棒状体８は、足場板９が安定に設置できれば、２本以上配置されても良く、また、これらが平行に配置されている必要はない。しかし、交差して配置された棒状体８の上には足場板９を安定に設置することは難しい。
【図面の簡単な説明】
【００２５】
【図１】水冷ダクトを縦断面で示す立面図である。
【図２】内部に作業用の足場設置機構を有する水冷ダクトを断面で示す平面図である。
【図３】水冷ダクトの内部の作業用の足場設置機構の支持筒を断面で示す部分平面図である。
【符号の説明】
【００２６】
１  水冷ダクト
２  外筒
３  内筒
４  水路
５  径方向の任意の中心線
６  貫通孔
７  支持筒
８  棒状体
９  足場板
１０  フランジ
１１  穴なしフランジ
１２  水路入口
１３  水路出口
１４  溶接部
【図１】
2010126979.tif 000003
【図２】
2010126979.tif 000004
【図３】
2010126979.tif 000005